(57)【要約】    【課題】  商品陳列室内の任意の位置に取付可能とする仕切部材を提供する。    【解決手段】  仕切部材１の仕切板２は、外周形状を商品陳列室１０ａの内面形状に合わせてやや小さいサイズに形成するとともに、商品陳列室内１０ａに取り付けられた陳列棚１４部分に合わせて形成した切欠部３を有する、側面視略コ字状の部材から構成されている。仕切板２の下部前端には、商品陳列室１０ａ下部の吸込口１５に挿入されて、仕切板２を係止する係止片４が形成されている。また、仕切板２の上部は、支持部材５により商品陳列室１０ａの上部奥側に備えられたミラー１７に対し取外し可能に支持されている。支持部材５は、ミラー１７に吸着させる吸盤と、当該吸盤に対し、回動可能に支持された掛金具とから構成されている。掛金具５ｂは、柔軟性を有する板状部材で構成されており、仕切板２を支持する高さ，向き等に応じて、任意の形状に折曲可能となっている。【選択図】      図１
2005304927.tif 000002
【特許請求の範囲】
【請求項１】
オープンショーケースの商品陳列室内に取付る仕切部材であって、
前記仕切部材は、
商品陳列室の内面形状に合わせて外周形状を形成するとともに、商品陳列室内に取付けられた陳列棚部分に相当する部位を切欠いた仕切板と、
当該仕切板を商品陳列室内面に対して取外し可能に支持する支持部材とを備えることを特徴とするオープンショーケースの仕切部材。
【請求項２】
前記仕切板の下部前端に、前記オープンショーケースの冷気吸込口に挿入して前記仕切板を係止する係止片を設けることを特徴とする請求項１に記載のオープンショーケースの仕切部材。
【請求項３】
前記仕切板は、商品表示具を保持する保持部を備えることを特徴とする請求項１又は２のいずれかに記載のオープンショーケースの仕切部材。
【発明の詳細な説明】
【技術分野】
【０００１】
本発明は、オープンショーケースの商品陳列室を仕切る仕切部材に関する。
【背景技術】
【０００２】
従来より、スーパーマーケット等の店舗においては、冷蔵食品や生鮮食品等を陳列する場合、連結した複数のショーケースの陳列棚間を仕切板で仕切ることにより、異なる種類の商品を陳列することがしばしば行われている。
この場合、アクリル等で構成された透明仕切板を各ショーケースの側面にビス等で固定することや、商品陳列室の背面板に対して固定金具等を介して固定することが行われていたが、このような構成では、仕切板の取付位置を変更する作業が煩雑なものとなっていた。
【０００３】
そのため、仕切板の取付位置を容易に変更可能とするための構成として、従来、アクリル板等の透明仕切板を、棚支柱に係止可能とした構成が公知となっている（例えば、特許文献１参照。）。
図７は、特許文献１に記載の仕切板の取付状態を示す斜視図である。
特許文献１に記載の構成では、連結されたオープンショーケース２０，２０の商品陳列室２０ａ，２０ａを仕切る仕切部材として、陳列棚２２，２２間に透明仕切板３０を配置して、係合部材３１により支持している。係合部材３１は、商品陳列室２０ａ，２０ａの背面の棚支柱２１に設けられたスロット孔２１ａに係止する爪を有し、また、平ワッシャー３１ａにより透明仕切板３０を挟持している。
【特許文献１】特開２００１−１２０３９８号公報
【発明の開示】
【発明が解決しようとする課題】
【０００４】
しかし、前記特許文献１に記載された構成は、連結されたオープンショーケース２０，２０間を仕切るためのものであり、一つのオープンショーケースの商品陳列室を任意の位置で仕切ることを考慮したものではなかった。
即ち、仕切板の形状自体が側断面視略コ字状の商品陳列室の内面に合わせたものであるため、陳列棚間にしか取付けることができず、陳列棚が配置されている部位に取付けることはできなかった。
また、取付構造についても、商品陳列室背面の棚支柱に係止するものであるため、棚支柱が設けられていない任意の位置には取付けることができなかった。
従って、一つの陳列棚上に複数種類の商品を陳列する場合等には、仕切板を用いて各商品を仕切ることができなかった。特に、コンビニエンスストア等の小規模店舗においては、一つのショーケースの商品陳列室内に複数種類の商品を陳列することが行われるが、その場合には、仕切板により陳列棚を仕切ることができず、必ずしも適切な商品陳列を行うことができなかった。
【０００５】
本発明は、前記課題を解決するためのものであり、オープンショーケースに用いられる仕切部材として、商品陳列室内の任意の位置に取付可能とする仕切部材を提供することを目的とする。
【課題を解決するための手段】
【０００６】
上記の課題を解決するため本発明は、オープンショーケースの商品陳列室内に取付る仕切部材であって、前記仕切部材は、商品陳列室の内面形状に合わせて外周形状を形成するとともに、商品陳列室内に取付けられた陳列棚部分に相当する部位を切欠いた仕切板と、当該仕切板を商品陳列室内面に対して取外し可能に支持する支持部材とを備えることを特徴とする。
また、前記仕切板の下部前端に、前記オープンショーケースの冷気吸込口に挿入して前記仕切板を係止する係止片を設けることを特徴とする。
また、前記仕切板は、商品表示具を保持する保持部を備えることを特徴とする。
【発明の効果】
【０００７】
以上、説明したように、本発明の仕切部材によれば、次のような効果を奏する。
（１）商品陳列室内の任意の位置に仕切部材を取付ることが可能となる。従って、一枚の陳列棚に複数種類の商品を陳列する場合にも仕切部材を用いて仕切ることが可能となる。
（２）また、オープンショーケースの冷気吸込口に挿入して仕切板を係止する係止片を設けることとにより、仕切板をより確実に支持することが可能となる。
（３）また、仕切板に商品表示具を保持する保持部を備えることにより、冷気エアカーテンの形成を阻害することなく、店舗内を移動する購買客に対して、最も見易い位置，向きに商品表示具を配置することが可能となる。
【発明を実施するための最良の形態】
【０００８】
以下、本発明の一実施の形態について、図面に基づき説明する。
図１は本発明の一実施の形態に係る仕切部材をオープンショーケースに取付けた状態を示す側断面図、図２は本実施の形態に係る仕切部材を構成する仕切板を示す側面図、図３は仕切部材を構成する支持部材を示す斜視図、図４は仕切板に設けられた商品表示具の保持部を示す斜視図、図５は本実施の形態に係る仕切部材をオープンショーケースに取付けた状態を示す斜視図である。
図１に示すように、本実施の形態に係る仕切部材の取付けられるオープンショーケース１０は、断熱材により構成されたケーシング１１が一体形成されており、ケーシング１１内部には、側面視略コ字状の商品陳列室１０ａを構成する内部パネル１２を有し、ケーシング１１と、内部パネル１２との間には、ダクト１３が設けられている。オープンショーケース１０の上側前端部にはダクト１３内を循環する冷気の吹出口１４が設けられ、下側前端部には商品陳列室１０ａ前面に吹出された冷気の吸込口１５が設けられている。
商品陳列室１０ａ内には、略同一寸法で形成された複数の陳列棚１６が取り付けられている。
【０００９】
本実施の形態に係る仕切部材１は、網状の仕切板２を商品陳列室１０ａ内の任意の位置に取付可能に構成したものである。仕切板２は、外周形状を商品陳列室１０ａの内面形状に合わせてやや小さいサイズに形成するとともに、商品陳列室内１０ａに取り付けられた陳列棚１４部分に合わせて形成した切欠部３を有する、側面視略コ字状の部材から構成されている。また、仕切板２の前端は商品陳列室１０ａの前面部分に形成される冷気エアーカーテンの庫内側に沿うように形成されている。
仕切板２の下部前端には、商品陳列室１０ａ下部の吸込口１５に挿入されて、仕切板２を係止する係止片４が形成されている。また、仕切板２の上部は、支持部材としての支持部材５により商品陳列室１０ａの上部奥側に備えられたミラー１７に対し取外し可能に支持されている。
仕切板２は、図２に示すように、枠体２ａと、枠体２ａ内において網状に配設されたワイヤ２ｂとから構成されている。また、支持部材５は、例えば、図３（ａ），（ｂ）に示すように、ミラー１７に吸着させる吸盤５ａと、当該吸盤５ａに対し、回動可能に支持された掛金具５ｂとから構成されている。掛金具５ｂは、柔軟性を有する板状部材で構成されており、図３（ｂ）に示すように、仕切板２を支持する高さ，向き等に応じて、任意の形状に折曲可能となっている。
このように、本実施の形態では、仕切板２において棚板に対応する部位に切欠部３を形成するとともに、係止片４及び支持部材５により仕切板２を支持することとしたので、商品陳列室１０ａ内の任意の位置に取付可能となっている。
また、仕切板２は、陳列棚１６の前方の位置に、商品名，広告等を示した商品表示具７を保持する保持部６を溶接等により固定している。保持部６は、図４に示すように、上部に開口６ａが形成されており、薄板状の商品表示具７が挿入可能に形成されるとともに、表，裏の両面に所定の大きさの角穴６ｂが形成されており、角穴６ｂの外周部６ｃにより挿入された商品表示具７の外周端部が保持されるとともに、角穴６ｂから商品表示具７に記載された商品名等が視認可能となっている。
ここで、保持部６に挿入される商品表示具７としては、薄板状の商品カード等の他、アクリル板等の透明板で商品名，広告等を記載した紙を挟み込んだものを用いてもよい。
【００１０】
以上の構成により、一枚の陳列棚１６上に複数種類の商品を陳列する場合であっても、図５に示すように、商品の種別毎に仕切部材１で仕切ることが可能となる。
また、係止片４及び支持部材５により仕切板２を支持することとしたので、商品陳列室１０ａ内の任意の位置に取付けることが可能になるとともに、商品レイアウトの変更等に対応した取付位置の変更も容易に行うことができる。
また、仕切部材１に商品表示具７を保持する保持部６を設けることとしたので、陳列商品の識別を容易なものとすることができる。
特に、保持部６を仕切板２の陳列棚１６前方位置に固定することとしたので、図５に示すように、商品表示具７をオープンショーケース１０の斜め前方から視認可能なように配置することが可能となる。従って、冷気エアカーテンの形成を阻害することなく、店舗内を移動する購買客に対して、最も見易い位置，向きに商品表示具７を配置することが可能となる。
【００１１】
なお、前記実施の形態では、仕切部材を構成する仕切板を網状の部材で構成することとしたが、これに限るものでは無く、透明板等、他の部材で構成することとしてもよい。
また、仕切板は側面視略コ字状に形成したものに限らず、陳列棚部分を切欠いたものであれば、逆さＬ字状としてもよく、また、各陳列棚毎に切欠部を形成することとしてもよい。
また、支持部材は、吸盤に限らず、容易に取外し可能に支持するものであれば、他の部材を用いることとしてもよい。例えば、ミラーの設けられていないオープンショーケースの場合には、図６に示すように、支持部材８を、磁石８ａと掛金具８ｂとから構成し、商品陳列室内の天井面等に対し、磁石８ａにより吸着させることとしてもよい。
また、本発明の仕切部材を取付けるオープンショーケースの形状は、前記実施の形態に示すものに限らず、他の形状のオープンショーケースに取付けることとしてもよい。
【図面の簡単な説明】
【００１２】
【図１】本発明の一実施の形態に係る仕切部材を取付けたオープンショーケースの一例を示す側断面図である。
【図２】仕切部材を構成する仕切板の一例を示す側面図である。
【図３】仕切部材を構成する支持部材の一例を示す斜視図である。
【図４】仕切部材を構成する保持部の一例を示す斜視図である。
【図５】本発明の一実施の形態に係る仕切部材を取付けたオープンショーケースの一例を示す斜視図である。
【図６】仕切部材を構成する支持部材の他の例を示す斜視図である。
【図７】従来の仕切部材の一例を示す斜視図である。
【符号の説明】
【００１３】
１  仕切部材、２  仕切板、３  切欠部、４  係止片、５  支持部材、６  保持部。
【図１】
2005304927.tif 000003
【図２】
2005304927.tif 000004
【図３】
2005304927.tif 000005
【図４】
2005304927.tif 000006
【図５】
2005304927.tif 000007
【図６】
2005304927.tif 000008
【図７】
2005304927.tif 000009